(57)【要約】      （修正有）【課題】水中での潜行中に姿勢を変えることなく容易に浮力調整を行うことができ、水中での姿勢を水平に向け易く、ＢＣＤの着用による装備の重量感や拘束感を感じることが無く、老若男女問わずに快適に潜水を行えるとともに、ＢＣＤを着用せずに作業を行う海上保安庁の潜水士等においても、水面での浮力確保と水中での浮力調整が容易になり、作業効率や安全性を高めることができ、また、ＢＣＤが必要ないため、潜水に必要な機材が減り、輸送時の総重量を軽減できる潜水着を提供する。【解決手段】潜水着１の少なくとも胸部が内皮及び外皮からなる二重層に形成され、内皮及び外皮の間に形設された空気充填部と、外皮の下部側に空気充填部と連通して配設され空気充填部に空気を供給する給気バルブ３と、外皮の上部側に空気充填部と連通して配設され空気充填部の空気を排出する排気バルブ４と、を有する浮力調整部２を備える。【選択図】図１
0003182232.tif 000002
【実用新案登録請求の範囲】
【請求項１】
潜水着の少なくとも胸部が内皮及び外皮からなる二重層に形成され、前記内皮及び前記外皮の間に形設された空気充填部と、前記外皮の下部側に前記空気充填部と連通して配設され前記空気充填部に空気を供給する給気バルブと、前記外皮の上部側に前記空気充填部と連通して配設され前記空気充填部の空気を排出する排気バルブと、を有する浮力調整部を備えることを特徴とする潜水着。
【請求項２】
潜水着の少なくとも胸部が内皮及び外皮からなる二重層に形成され、前記内皮及び前記外皮の間に形設された空気充填部と、前記外皮に前記空気充填部と連通して配設されダイビングインフレーターが着脱自在に連結される連結部材と、を有する浮力調整部を備えることを特徴とする潜水着。
【請求項３】
前記浮力調整部が、前記潜水着の前記胸部から腹部，わき腹部，腰部に亘って形成されている、若しくは、前記胸部から腹部，わき腹部，腰部，肩，背中に亘って形成されていることを特徴とする請求項１に記載の潜水着。
【請求項４】
前記浮力調整部が、前記潜水着の前記胸部から腹部，わき腹部，腰部に亘って形成されている、若しくは、前記胸部から腹部，わき腹部，腰部，肩，背中に亘って形成されていることを特徴とする請求項２に記載の潜水着。
【請求項５】
前記排気バルブが、前記浮力調整部の前記外皮の左側胸部又は左側肩部、若しくは、右側胸部又は右側肩部に配設され、前記給気バルブが、前記浮力調整部の前記外皮の右側又は左側の腹部に配設されていることを特徴とする請求項３に記載の潜水着。
【請求項６】
前記浮力調整部が、前記潜水着の背面側の前記外皮に、第２排気バルブを備えることを特徴とする請求項３乃至５の内いずれか１に記載の潜水着。
【請求項７】
前記空気充填部が、前記内皮と前記外皮の間に着脱自在に配設された空気袋で形成されていることを特徴とする請求項１乃至６の内いずれか１に記載の潜水着。
【考案の詳細な説明】
【技術分野】
【０００１】
本考案は、浮力調整が容易な潜水着に関する。
【背景技術】
【０００２】
潜水着には、ウェットスーツとドライスーツがあり、ウェットスーツ自体には浮力調整機能が無く、潜水中の中性浮力を維持するために、浮力調整装置（以下、ＢＣＤと記す）に空気を給排気することで浮力調整を行っていた。また、ドライスーツは、下着を着用するため、スーツ内に水が入らない構造となっており、水圧によってスーツスクイズが発生しないよう、スーツ内に空気を給排気することできる。しかし、ドライスーツの場合、スーツ全体に空気が充填されるため、バランスが取り難く、浮力の調整にはＢＣＤが用いられている。
そのため、ダイバーは、どちらのスーツを着用する場合も空気タンクの他にＢＣＤを着用しており、特に潜水後はＢＣＤが水を吸うので、体力のない高齢者や女性，子供等にとってその重量負担が大きかった。
これらの課題を解決するために、潜水中の浮力調整方法として、（特許文献１）には、「潜水服の外面の各部に、多数個の錘り及び浮きを格別に挿入できるポケット型取付具を設けたことを特徴とする浮力調製用取付具付潜水服」が開示されており、（特許文献２）には、「パットが入った肩部や胸部浮力調整袋、背部浮力調整袋に空気を出し入れすることで、浮力調製装置を行うことができるダイビングスーツ」が開示されている。
【先行技術文献】
【特許文献】
【０００３】
【特許文献１】特開平４−１０８０９０号公報
【特許文献２】米抄２００２／２３２８３
【考案の概要】
【考案が解決しようとする課題】
【０００４】
しかしながら上記従来の技術においては、以下のような課題を有していた。
（１）（特許文献１）に開示の技術は、潜水服の各部に配設されたポケットに、浮きや錘を挿入し、浮力を調整するので、水中で浮力調整を行う場合、必要な分の錘や浮きを準備して潜水する必要があるとともに、既に挿入されている錘や浮きを特定のポケットに挿入する際、浮力の調整前であるため、バランスが取り難く、浮力調整が容易に行えないという課題があった。
（２）（特許文献２）に開示の技術は、気体による浮力調整を潜水着に形成した空気袋で行うが、浮力調整をコンピューターで制御するため、操作後の応答に遅れが生じ易く、ダイバーにストレスが溜まり易くなるとともに、浮力調整のための袋を胸部や肩部や背面に形設されているだけなので、上半身だけが浮き易く、水中の姿勢を水平に向け難く、水の抵抗を受け易くなるとともに、外的刺激等により空気袋部分が破損した場合、浮力調整が行えなくなり、安全性を損なう可能性があるという課題があった。
【０００５】
本考案は上記従来の課題を解決するもので、水中での潜行中に姿勢を変えることなく、容易に浮力調整を行うことができ、水中での姿勢を水平に向け易く、ＢＣＤを着る必要が無いので、ＢＣＤの着用による装備の重量感や拘束感を感じることが無く、ＢＣＤが邪魔にならず、老若男女問わずに快適に潜水を行えるとともに、ＢＣＤを着用せずに作業を行う海上保安庁の潜水士等においても、水面で顔を出すための浮力確保と、水中での浮力の調整が容易になり、作業効率や安全性を高めることができ、また、ＢＣＤが必要ないため、潜水に必要な機材が減り、輸送時の総重量を軽減することもできる潜水着を提供することを目的とする。
【課題を解決するための手段及びそれによって得られる作用、効果】
【０００６】
上記従来の課題を解決するために、本考案の潜水着は、以下の構成を有している。
本考案の請求項１に記載の潜水着は、潜水着の少なくとも胸部が内皮及び外皮からなる二重層に形成され、前記内皮及び前記外皮の間に形設された空気充填部と、前記外皮の下部側に前記空気充填部と連通して配設され前記空気充填部に空気を供給する給気バルブと、前記外皮の上部側に前記空気充填部と連通して配設され前記空気充填部の空気を排出する排気バルブと、を有する浮力調整部を備える構成を有している。
この構成により、以下のような作用、効果を有する。
（１）潜水着が浮力調整部を備えるので、別途ＢＣＤを着用する必要が無く、スキューバダイビング中の装備を軽量化することができ、女性や体力のない子供や高齢者の負担を少なくすることができるとともに、ＢＣＤを着用せずに潜水作業を行う潜水士等も潜水着で浮力調整を行うことができるので、作業中の安全性を高めることができる。
（２）浮力調整部が潜水着の下部側に給気バルブを備え、上部側に排気バルブを備えているので、潜水中に態勢を殆ど変えることなく、浮力調整部内の給排気を行うことができ、利便性に優れる。
（３）少なくとも胸部に浮力調整部が形成されているため、ダイバーの上半身に浮力を持たせることができ、水面でダイバーの顔を水上に出すことができるので、安全性に優れる。
【０００７】
ここで、浮力調整部が形設される潜水着としては、ウェットスーツとドライスーツのどちらでも良い。また、スーツの形態としては、ワンピースタイプでもツーピースタイプでも良く、袖の長さや股下の長さも特に限定されない。ツーピースタイプでジャケットに浮力調整部が形設される場合、ジャケットだけが浮き上がらないよう、ジャケットに股掛けを備えることが好ましい。
【０００８】
浮力調整部は、潜水着の少なくとも胸部に内皮と外皮で形成された二重層構造で、二重構造の内部に空気を貯留することができる空気充填部が形成されている。浮力調整部を設ける方法としては、潜水着の内側又は外側に潜水着用の接着剤等を用いて生地の外周を張り付け，内皮又は外皮の二重層構造を形成する方法、又は、空気充填部を袋状に形成した空気袋を準備し，内皮又は外皮の一部を着脱自在に形設した空気袋保持部に該空気袋を保持させる方法等が用いられる。
浮力調整部によって得られる浮力は、ＢＣＤで設定される最大浮力と同程度の浮力が有れば良く、潜水着の大きさにもよるが、１０〜３０ｋｇが好適に選択される。
【０００９】
また、内皮又は外皮に用いられる生地は、特に限定されず、潜水着に一般的に用いられるような生地であればどのようなものを用いても良い。また、浮力調整部に空気が給気され浮力調製部が膨らんだ際に、ダイバーの身体への圧迫が少なくなるよう、外皮の生地は、内皮の生地よりも伸縮性に優れる素材であることが好ましい。
【００１０】
浮力調整部には、浮力調整部の内部を洗浄する際のために、水抜き弁を備えることが好ましい。水抜き弁に対し、外側から水圧がかかるので逆支弁が好ましいが、これに限定されず、例えば、ゴム栓や螺子式の弁等を用いることができる。
また、浮力調整部には、給気バルブが故障した時のために、使用時に口から空気を充気することができる給気ホース等の吹込み部を備えることが好ましい。吹込み部の素材としては、救命胴衣等に配設された給気ホース等と同様のものを用いることがきるとともに、外部から海水等が入らないように逆支弁が備えられている。
【００１１】
給気バルブとしては、特に構成は限定されず、ドライスーツに使用される一般的な給気バルブを使用することができる。
また、排気バルブとしても、特に構成は限定されず、ドライスーツに使用される一般的な排気バルブを使用することができ、手動排気バルブと手動・自動併用バルブのどちらを使用しても良い。操作性を考えると、排気バルブは、プル式（ロープを引いてバルブを開けるもの）であることが好ましい。
【００１２】
請求項２に記載の潜水着は、潜水着の少なくとも胸部が内皮及び外皮からなる二重層に形成され、前記内皮及び前記外皮の間に形設された空気充填部と、前記外皮に前記空気充填部と連通して配設されダイビングインフレーターが着脱自在に連結される連結部材と、を有する構成を有している
この構成により、以下のような作用を有する。
（１）潜水着が浮力調整部を備えるので、別途ＢＣＤを着用する必要が無く、スキューバダイビング中の装備を軽量化することができ、女性や体力のない子供や高齢者の負担を少なくすることができるとともに、ＢＣＤを着用せずに潜水作業を行う潜水士等も潜水着で浮力調整を行うことができるので、作業中の安全性を高めることができる。
（２）浮力調整部の連結部材にダイビングインフレーターが配設できるので、水中での潜行中に態勢を殆ど変えることなく、浮力調整部内の給排気を行うことができ、利便性に優れる。
（３）少なくとも胸部に浮力調整部が形成されているため、ダイバーの上半身に浮力を持たせることができ、水面でダイバーの顔を水上に出すことができるので、安全性に優れる。
【００１３】
ここで、連結部材に接続されるダイビングインフレーターとは、給気（口からの吹込みを含む）及び排気の両方を行うことができるもので、ＢＣＤに用いられているダイビングインフレーターと同様のものを用いることができる。また、連結部材が配設される場所は特に限定されない。
潜水着の種類や形態、空気調整部の構成、内皮や外皮の生地等については、請求項１と同様であるため説明は省略する。
【００１４】
請求項３に記載の考案は、請求項１に記載の潜水着であって、前記浮力調整部が、前記潜水着の前記胸部から腹部，わき腹部，腰部亘って形成されている、若しくは、前記胸部から腹部，わき腹部，腰部，肩，背中に亘って形成されている構成を有している。
この構成により、請求項１の作用、効果に加え以下のような作用、効果を有する。
（１）浮力調整部が胸部から腹部，わき腹部，腰部に亘って形成されている、若しくは、前記胸部から腹部，わき腹部，肩，背中まで亘って形成されているので、上半身側が浮き易く水面で顔を出す浮力を確保することができるとともに、浮力の調節の際に、潜行中の姿勢の制御がし易く、水中で水平方向に姿勢を保ち易いため、安全性や使用性に優れる。
【００１５】
請求項４に記載の考案は、請求項２に記載の潜水着であって、前記浮力調整部が、前記潜水着の前記胸部から腹部，わき腹部，腰部に亘って形成されている、若しくは、前記胸部から腹部，わき腹部，腰部，肩，背中に亘って形成されている構成を有している。
この構成により、請求項２の作用、効果に加え、請求項３と同様の作用、効果を有する。
【００１６】
浮力調整において中性浮力を得る際、潜水着の背面に空気を貯留できるようにし、上半身の特に腰から上部が持ち上がるようにすることが好ましい。これにより、水中でのバランスが取り易くなり、水中で水平方向に姿勢を保ち易く、水の抵抗をうけ難くすることができる。
そのため、請求項３又は４の考案における浮力調整部は、潜水着の胸部から腹部，わき腹部，腰部に亘って形成される、若しくは、胸部から腹部，わき腹部，腰部，肩，背中に亘って形成されることが好ましい。また、これらの位置に加え、背中の前面や首周り、腕周りに亘って形成されても良い。
【００１７】
請求項５に記載の考案は、請求項３に記載の潜水着であって、前記浮力調整部の前記外皮の左側胸部又は左側肩部、若しくは、右側胸部又は右側肩部に配設され、前記給気バルブが、前記浮力調整部の前記外皮の右側又は左側の腹部に配設されている構成を有している。
この構成により、請求項３の作用、効果に加え、以下の作用、効果を有する。
（１）給気バルブが潜水着の腹部に配設されているので、浮力調整部に気体が充填され、浮力調整部が膨らんだ場合にも、給気バルブの位置が殆ど変らず、操作性が変らないので、使用性に優れる。
（２）排気バルブの位置が潜水着の左側胸部又は左側肩部前面に配設され、排気バルブが浮力調整部において水面に近い位置に配設されるので、排気の際に気体がスムーズに排出されるとともに、手動での排気操作も容易に行え、使用性に優れる。
（３）給気バルブと排気バルブが左右逆の位置に配設することで、両腕を使って各々のバルブ操作を行うことができ、細かい浮力の調整を素早く、容易に行うことができ、使用性に優れる。
【００１８】
給気バルブは、潜水着の腹部に配設されていれば、潜水着の左右のどちら側に配設しても良い。
また、排気バルブも浮力調整部の上部側であれば、潜水着の左右のどちら側に配設しても良いが、操作性に優れる胸部又は肩部前面に配設されることが好ましい。
【００１９】
請求項６に記載の考案は、請求項３乃至５の内いずれか１に記載の潜水着であって、前記浮力調整部が、前記潜水着の背面側の前記外皮に、第２排気バルブを備える構成を有している。
この構成により、請求項３乃至５の作用、効果に加え、以下の作用、効果を有する。
（１）第２排気バルブを潜水着の背面に備えているので、水面を背に向けて水平姿勢で潜水している時に、空気を排出し易く、姿勢を変えることなく浮力を調整することでき、使用性に優れる。
【００２０】
第２排気バルブとしては、ドライスーツに使用される一般的な排気バルブであれば特に限定されず使用することができ、手動排気バルブと手動・自動併用バルブのどちらを使用しても良い。
第２排気バルブは潜水着の背面、特にわき腹部の背面側（腰部の上側）に配設されることが好ましく、潜水着の背面に配設されるので、プル式の排気バルブ（ロープを引いてバルブを開けるもの）であることが好ましい。
【００２１】
請求項７に記載の考案は、請求項１乃至６の内いずれか１に記載の潜水着であって、前記空気充填部が、前記内皮と前記外皮の間に着脱自在に配設された空気袋で形成されている構成を有している。
この構成により、請求項１乃至６の作用、効果に加え、以下の作用、効果を有する。
（１）浮力調整部が、空気袋を空気袋保持部で保持されているため、潜水着のスーツ生地が外的刺激により破損した場合にも、空気袋は保護され、空気袋によって浮力調整を行うことができるので、安全性に優れる。
【００２２】
空気袋としては、空気を貯留することができれば、素材等は特に限定されず、ポリ塩化ビニルやポリエチレン、ポリウレタン、ポリプロピレン，ナイロン等の素材を用いることができる。空気袋の素材が伸縮性を備えない素材の場合、蛇腹状に襞を形成することで膨縮させることができる。
また、空気袋は、潜水着のファスナーの位置や有無等によって任意の形状に成形される。
【００２３】
給気バルブと排気バルブは、空気袋の任意の位置に予め配設し、潜水着の外皮に形成した孔部から、給気バルブと排気バルブを外皮の外側に出しても良い。また、給気バルブと排気バルブを、外皮の外側の雄部と内側の雌部に分割し、空気袋と外皮の対応する位置に形成した開口部を介し、雄部と雌部を嵌着させることで、給気バルブと排気バルブを配設しても良い。
【００２４】
空気充填部が、空気袋で形成されている場合、内皮又は外皮の少なくとも一部を着脱自在に配設し、内皮又は外皮を空気袋保持部としても良い。
この構成により、以下の作用、効果を有する。
（１）内皮又は外皮の少なくとも一部を着脱可能に配設することで形成された空気袋保持部によって空気袋が保持されているので、潜水着のスーツ生地が経年劣化を起こした場合にも、空気袋保持部を取り外すだけで空気袋は新しいものと容易に取り替えることができ、メンテナンスが容易であるため、長期的に使用する事ができる。
内皮又は外皮の少なくとも一部を着脱自在にする方法としては、面ファスナーやファスナー等を用いる方法等が用いられる。
また、空気袋に給気バルブ及び排気バルブが予め配設されている場合、潜水着の外皮側には、給気バルブ及び排気バルブと対応する位置に孔部が形設され、該孔部から給気バルブ及び排気バルブが外皮の外面に出される。
【００２５】
また、浮力調整部は、外皮の内側に隔膜部を備え、空気充填部を二分する構成としても良い。
この構成により、以下の作用、効果を有する。
（１）空気充填部が二重構造であるため、外部刺激等により潜水着の外側のスーツ地が破損した場合にも、浮力調整を行うことができ、安全性に優れる。
【００２６】
隔膜部の素材としては、一般的な潜水着の生地と同様のものや、空気袋と同様にポリエチレン、ポリウレタン、ポリプロピレン，ナイロン等の素材を用いることもできる。
また、隔膜部の形成方法としては、潜水着に生地を接着し、内皮及び外皮を形成する方法と同様に、潜水着用の接着剤等を用いて隔膜部となる生地を潜水着に接着する方法等を用いることができる。
【図面の簡単な説明】
【００２７】
【図１】（ａ）実施の形態１の潜水着の正面斜視図（ｂ）実施の形態１の潜水着の背面斜視図
【図２】（ａ）実施の形態１の潜水着の空気貯留前の要部断面図（ｂ）実施の形態１の潜水着の空気貯留後の要部断面図
【図３】（ａ）実施の形態２の潜水着の正面斜視図（ｂ）実施の形態２の潜水着の背面斜視図
【図４】（ａ）実施の形態３の潜水着の正面斜視図（ｂ）実施の形態３の潜水着の背面斜視図
【図５】（ａ）実施の形態３の潜水着の空気貯留前の要部断面図（ｂ）実施の形態３の潜水着の空気貯留後の要部断面図
【図６】（ａ）図５（ａ）のＡ−Ａ線から見た矢視図において空気袋保持部を前面に跳ね上げて空気袋と給気バルブ及び排気バルブを取り外した時の概要図（ｂ）実施の形態３の空気袋の要部斜視図
【考案を実施するための形態】
【００２８】
以下、本考案を実施するための最良の形態を、図面を参照しながら説明する。尚、本考案はこの実施の形態に限定されるものではない。
（実施の形態１）
図１（ａ）は実施の形態１の潜水着の正面斜視図、図１（ｂ）は実施の形態１の潜水着の背面斜視図、図２（ａ）は実施の形態１の潜水着の空気貯留前の要部断面図であり、図２（ｂ）は実施の形態１の潜水着の空気貯留後の要部断面図である。
図１（ａ）において、１は実施の形態１の潜水着、２は潜水着１正面内側で胸部からわき腹部及び腰部まで配設固着された内皮２ａ（図２）又は潜水着１の正面の外側で胸部からわき腹部及び腰部まで配設固着された外皮２ｂ（図２）で形成された空気充填部２ｃ（図２）を備える浮力調製部、３は潜水着１の前面左側のわき腹部に配設され，空気タンクの中圧ホース（図示しない）と接続される接続部（図示しない）を備え，空気充填部２ｃに空気を送るための給気バルブ、４は潜水着１の前面右肩部に配設され，排気弁と接続された紐部４ａを備え，空気充填部２ｃの空気を排出するための排気バルブ、７は逆支弁（図示しない）を有し，フラップ７ａに収容され，給気バルブ３が使用できない時に口から浮力調整部２に空気を充気するための吹込み部、であり、図１（ｂ）において５は潜水着１の背面に配設されたファスナー、８は潜水着１のわき腹部の背面側（腰部の上部側）に配設され，排気弁と接続された紐部８ａを備えたプル式の第２排気バルブである。
【００２９】
実施の形態１は、潜水着１に浮力調整部２を直接形設し、ファスナー５が潜水着１の背面に配設されたものである。
浮力調整部２は、潜水着１に内皮２ａ及び外皮２ｂを胸部からわき腹部及び腰部まで形成し、空気を貯留することができる空気充填部２ｃを形成することで設けられる。浮力調整部２を設ける方法としては、潜水着１に潜水着用の接着剤等で生地を張り付け固着させる方法等がある。
浮力調整部よって得られる浮力は、ＢＣＤで設定される最大浮力と同程度の浮力が有れば良く、潜水着の大きさにもよるが、１０〜３０ｋｇが好適に選択される。
浮力調整部２が、潜水着１の腰部から背中の一部に亘って形成された場合は、給気バルブ３から給気した際に、背面に空気が留まり易く、水中での姿勢のバランスをとり易くすることができる。
【００３０】
給気バルブ３としては、特に構成は限定されず、ドライスーツで用いられる一般的な給気バルブを用いることができる。給気バルブ３は中圧ホース（図示しない）を接続部（図示しない）に連結することで空気タンク（図示しない）と接続され、バルブ操作により、浮力調整部２に空気を供給することができる。
また、排気バルブ４としては、特に限定されず、ドライスーツで用いられる一般的な排気バルブを用いることができ、手動排気バルブと手動・自動併用バルブのどちらを使用しても良い。
【００３１】
以上のように構成された実施の形態１における潜水着１について、図２（ａ）（ｂ）を参照しながら、以下に浮力の調整方法について説明する。
図２（ａ）において浮力調整部２には空気が殆ど入っていないので、深度が深くなった場合に浮力が低下し、中性浮力が得られなくなる。その際に、給気バルブ３を空け、空気タンクから、空気を供給すると、図２（ｂ）のように浮力調整部２に空気が溜まり、図２（ａ）のときよりも大きい浮力が得られる。
この時、浮力が大きすぎる場合は、排気バルブ４をあけ空気を逃がすことで浮力を調整することができる。
そのため、潜水時には、浮力調整部２内の空気量を調整することで中性浮力を得ることができるとともに、浮上時には、周囲圧の減少にともなって、浮力調整部内で膨張した空気を排気することで、ダイバー自身が適切な浮上速度を得ることができ、減圧症の罹患を防ぐことができる。
【００３２】
以上のように、本考案の実施の形態１における潜水着１は構成されているので、以下のような作用が得られる。
（１）潜水着１が浮力調整部２を備えるので、別途ＢＣＤを着用する必要が無く、スキューバダイビング中の装備を軽量化することができ、女性や体力のない子供や高齢者の負担を少なくすることができるとともに、ＢＣＤを着用せずに潜水作業を行う潜水士等も潜水着で浮力調整を行うことができるので、作業中の安全性を高めることができる。
（２）浮力調整部２が、潜水着１の正面に給気バルブ３と排気バルブ４を備えているので、態勢を殆ど変えることなく、浮力調整部２内の給排気を行うことができ、使用性に優れる。
（３）浮力調整部２が潜水着１の胸部からわき腹の裏部分まで形成されているので、着用者の腰から上を持ち上げることができ、中性浮力の調整の際に姿勢が保ち易く、使用性に優れる。
（４）わき腹部分まで浮力調整部２が形成されているので、給気バルブ３を潜水着１の前面わき腹部分に配設することができ、浮力調整部２のふくらみに関係なく、給気バルブ３の動作を容易に行うことができる。
（５）排気バルブ４の位置が潜水着１の左側肩部前面に配設され、排気バルブ４が浮力調整部２において水面に近い位置に配設されるので、排気の際に空気がスムーズに排出されるとともに、手動での排気操作も容易に行えるので、使用性に優れる。
（６）給気バルブ３と排気バルブ４が左右逆の位置に配設されているので、両腕を使って各々のバルブ操作を行うことで、細かい浮力の調整を素早く、容易に行うことができ、利便性に優れる。
（７）吹込み部７を備えているので、給気バルブ３が故障し、給気ができなくなった場合にも、吹込み部７から浮力調整部２に息を吹き込むことができ、緊急時の浮力を確保することができるので、安全性に優れる。
（８）第２排気バルブ８がわき腹部の背面側（腰部の上部側）に配設されているので、水中で水平移動している時に紐部８ａを引くだけで浮力調整部２の排気が可能であり、排気時に姿勢を変える必要が無いので、使用性に優れる。
【００３３】
（実施の形態２）
図３（ａ）は実施の形態２の潜水着の正面斜視図であり、図３（ｂ）は実施の形態２の潜水着の背面斜視図である。尚、実施の形態１で説明したものと同様のものは、同じ符号を付して説明を省略する。
図３において、１０は実施の形態２の潜水着、１１は潜水着１０の正面に配設されたファスナー、１２は潜水着１０の前後に股がって形設された股掛け、１３は浮力調整部２の前面肩部分に配設されダイビングインフレーター１３ａと前記空気充填部を連設する連結部材である。
【００３４】
実施の形態２の潜水着１０は、ツーピースタイプの潜水着のジャケットであり、正面にファスナーがあるものであり、浮力調整部２が前面では２つに分かれているが、背面側で連接した構成となっている。
実施の形態１と異なり、給気バルブ及び排気バルブの代わりに、両方の機能を有するダイビングインフレーター１３ａを備えている。
背面側の腰部に浮力調整部を形設する場合、ウェイトを巻くことを考え、浮力調整部２は腰部の少し上に配設されることが好ましい。
【００３５】
以上のように、本考案の実施の形態２における潜水着１０は構成されているので、実施の形態１の作用に加え、以下の作用が得られる。
（１）浮力調整部がダイビングインフレーター１３ａを備えているので、水中での潜行中に態勢を殆ど変えることなく、浮力調整部内の給排気を行うことができ、利便性に優れる。
（２）給気バルブと排気バルブの両方を備える必要が無く、製造工数が少なくて済むため、生産性に優れる。
【００３６】
（実施の形態３）
図４（ａ）は実施の形態３の潜水着の正面斜視図であり、図４（ｂ）は実施の形態３の潜水着の背面斜視図であり、図５（ａ）は実施の形態３の潜水着の要部断面背面図であり、図５（ｂ）は実施の形態３の空気袋の斜視図であり、図６（ａ）は図５（ａ）のＡ−Ａ線から見た矢視図において空気袋保持部を前面に跳ね上げて空気袋と給気バルブ及び排気バルブを取り外した時の概要図であり、図６（ｂ）実施の形態３の空気袋の要部斜視図である。
図４において２０は実施の形態３の潜水着であり、図５において、２１は潜水着２０の内皮の外周に面ファスナー２１ａを配設し，面ファスナー２１ａと対応するように外皮２ｂに面ファスナー２３を配設することで内皮の一部が着脱自在に配設された空気袋保持部、２２は空気袋保持部２１と外皮２０ａに保持され外皮２ｂとともに給気バルブ３及び排気バルブ４，第２排気バルブ８が連設された空気袋、図６において、２２ａは給気バルブ３を外皮２ｂとともに嵌着するために空気袋２２に形成された給気用第１開口部、２２ｂは排気バルブ４を外皮２ｂとともに嵌着するために空気袋２２に形成された排気用第１開口部、２４ａは潜水着２０の外皮２ｂに給気用第一開口部２２ａと対応する位置に形成され，給気バルブ３を空気袋２２とともに嵌着するための給気用第２開口部、２４ｂは潜水着２０の外皮２ｂに排気用第一開口部２２ｂと対応する位置に形成され，排気バルブ４を空気袋２２とともに嵌着するための排気用第２開口部、２５は空気袋２２に配設された吹込み部７を潜水着２０の外側に出すために外皮２ｂに形成された孔部、２６は浮力調整部２の下部に配設された水抜き弁である。
【００３７】
空気袋保持部２１としては、空気袋２２を保持することができればどのような構成でも良く、実施の形態３のように内皮及び外皮２ｂに面ファスナー（２１ａ，２３）を配設し、着脱可能に形成しても良いし、面ファスナー２３の代わりにファスナーを用いて空気袋２２を保持しても良い。
また、給気バルブ３及び排気バルブ４は、外面側の雄部と内面側の雌部に分割し、空気袋２２の給気用第一開口部２２ａ及び排気用第一開口部２２ｂから雌部を入れ、潜水着２０の外皮２ｂの給気用第２開口部２４ａ及び排気用第２開口部２４ｂと位置を調整し、外側から雄部を雌部に嵌め込むことで配設される。
第２排気バルブ８は、給気バルブ３及び排気バルブ４と同様に、空気袋２２及び潜水着２０の外皮２０ａに開口部（図示しない）を形成し、雄部と雌部に分割した第２排気バルブ８をはめ込むことで配設される。
給気バルブ３及び排気バルブ４，第２排気バルブ８は、空気袋２２に予め配設しても良い。この場合、潜水着２０の外皮２０ａに形成した孔部から各々のバルブを潜水着２０の外皮２ｂの外側に出して使用される。
【００３８】
空気袋２２としては、空気を貯留することができれば、素材等は特に限定されず、ポリ塩化ビニルやポリエチレン、ポリウレタン、ポリプロピレン，ナイロン等の素材を用いることができる。
また、空気袋２２は、潜水着のファスナー５の位置や有無等によって任意の形状に成形され、空気袋保持部２１の形状は、空気袋２２に合せて形成される。
空気袋２２に配設される水抜き弁２６は、潜水着２０の外皮２ｂの外側に出さなくても良いが、潜水着２０に形成した孔部（図示しない）から潜水着２０の外側に出しても良い。
【００３９】
以上のように、本考案の実施の形態３における潜水着２０は構成されているので、実施の形態１又は２の作用に加え、以下のような作用が得られる。
（１）浮力調整部２が、空気袋２２を空気袋保持部２１で保持した二重構造であるため、潜水着２０のスーツ生地が外的刺激により破損した場合にも、空気袋２２は保護され、空気袋２２によって浮力調整を行うことができるので、安全性に優れる。
（２）空気袋２２は空気袋保持部２１によって保持されているので、潜水着２０のスーツ生地が経年劣化を起こした場合にも、空気袋２２は新しいものと容易に取り替えることができるため、メンテナンスが用意であり、長期的に使用する事ができる。
（３）水抜き弁２６を備えているので、排気バルブ４の操作ミス等により、空気袋２２に海水が入り、内部を洗浄する必要がある場合に、ボンベの空気を入れるだけで、水洗後の水抜きが容易になり、メンテナンス性に優れる。
【実施例】
【００４０】
以下、本考案を実施例により具体的に説明する。尚、本考案はこれらの実施例に限定されるものではない。
（実施例１）
実施の形態１の潜水着と同様の潜水着と、容量１２Ｌの空気タンクを準備した。潜水着の給気バルブと該タンクを接続し、平成２４年５月にフィリピン・セブ島にて水深５ｍ〜３０ｍ迄潜り、延べ４時間３０分間のスキューバダイビングを行った。
結果、陸上では、着心地に何ら問題なく、一般的な潜水着と同様であった。
水面では、浮力確保のため給気を行ったが、胸部が膨張したものの首から上部を水面に保持するだけの浮力が確保できた。
また、水中では、潜降時にも排気はスムーズに行えることができ、深度変化に伴ない給排気を繰り返したが、ダイバーの要求に問題なくこたえることができた。
そのため、実施の形態１の潜水着は、ＢＣＤを用いたスキューバダイビングとは異なり、ＢＣＤを用いることによる重量の負担や拘束感等の煩わしさが無く、ＢＣＤと同様に浮力調整を行うことができ、水中移動時、水の抵抗も減少され快適に移動することができた。
また、装備の輸送の際にもＢＣＤの分だけ機材を減らすことができ、潜水前の準備においても、タンクとＢＣＤを組み立てる手間を省くことができた。
【産業上の利用可能性】
【００４１】
本考案は、水中での潜行中に姿勢を変えることなく、容易に浮力調整を行うことができるとともに、ＢＣＤを着る必要が無いので、ＢＣＤの着用による装備の重量感や拘束感を感じることが無く、ＢＣＤの各構成が邪魔にならず、老若男女問わずに快適に潜水を行えるとともに、ＢＣＤを着用せずに作業を行う海上保安庁の潜水士等においても、浮力の調整が容易になり、作業効率や安全性を高めることができ、また、ＢＣＤが必要ないため、スキューバダイビングに必要な機材が減り、輸送時の総重量を軽減することもできる潜水着を提供することができる。
【符号の説明】
【００４２】
１  潜水着
２  浮力調整部
２ａ  内皮
２ｂ  外皮
２ｃ  空気充填部
３  給気バルブ
４  排気バルブ
４ａ  紐部
５  ファスナー
７  吹込み部
８  第２排気バルブ
８ａ  紐部
１０  潜水着
１１  ファスナー
１２  股掛け
１３  連結部材
１３ａ  ダイビングインフレーター
２０  潜水着
２１  空気袋保持部
２１ａ  面ファスナー
２２  空気袋
２２ａ  給気用第１開口部
２２ｂ  排気用第２開口部
２３  面ファスナー
２４ａ  給気用第２開口部
２４ｂ  排気用第２回孔部
２５  孔部
２６  水抜き弁
【図１】
0003182232.tif 000003
【図２】
0003182232.tif 000004
【図３】
0003182232.tif 000005
【図４】
0003182232.tif 000006
【図５】
0003182232.tif 000007
【図６】
0003182232.tif 000008